(57)【要約】【課題】本発明は荷卸し時に発生するベーパを吸着槽に供給する際にタンクの通気管に設けられた脱圧弁が吸着工程中に開弁してベーパが大気中に放出されることを課題とする。【解決手段】ベーパ回収装置１０は、ベーパ導入経路７０と、吸着槽８０と、回収経路９０と、制御装置１００とを有する。ベーパ導入経路７０は、圧力センサ１１０と、吸着用弁１２０と、ベーパ吸引手段１３０と、吸着槽側圧力センサ１４０とが設けられている。制御装置１００は、圧力センサ１１０によって検出されたタンク圧力値が脱圧弁４２の開弁圧力以上か否かを判定する判定手段と、吸着工程を行う際に圧力センサにより検出された圧力値が脱圧弁が開弁する所定圧力よりも低い所定の設定圧力に達した場合、ベーパ吸引手段１３０によるベーパの吸引を開始させるベーパ吸引量制御手段と、を有する。【選択図】図１
2014046225.tif 000002
【特許請求の範囲】
【請求項１】
内部に揮発性液体のベーパを吸着する吸着剤が充填された吸着槽と、
前記揮発性液体を貯蔵する揮発性液体貯蔵タンク内のベーパを前記吸着槽に導入するベーパ導入経路と、
前記揮発性液体貯蔵タンクの圧力が所定の圧力以下の場合には閉弁し、前記揮発性液体貯蔵タンクの圧力が所定の圧力以上の場合には開弁する脱圧弁と、
前記吸着槽の吸着剤から脱着された前記揮発性液体を前記揮発性液体貯蔵タンクに回収させる回収経路と、
前記揮発性液体貯蔵タンク内のベーパを前記吸着槽に導入して前記吸着剤に吸着させる吸着工程と、前記吸着剤に吸着された前記揮発性液体を脱着して前記揮発性液体貯蔵タンクに回収する脱着工程とを行うように前記ベーパ導入経路及び前記回収経路に配された電磁弁を選択的に開弁させる制御手段と、を有するベーパ回収装置において、
前記揮発性液体貯蔵タンクの圧力を検出する圧力センサと、
前記ベーパ導入経路に設けられ、前記揮発性液体貯蔵タンクのベーパを吸引して前記吸着槽に供給するベーパ吸引手段と、を備え、
前記制御手段は、前記吸着工程を行う際に前記圧力センサにより検出された圧力値が前記脱圧弁が開弁する所定圧力よりも低い所定の設定圧力に達した場合、前記ベーパ吸引手段によるベーパの吸引を開始させるベーパ吸引量制御手段を有することを特徴とするベーパ回収装置。
【請求項２】
前記ベーパ吸引量制御手段は、前記吸着工程を行う際に前記圧力センサにより検出された圧力値が前記脱圧弁が開弁しうる所定圧力以下となるように前記揮発性液体貯蔵タンクからのベーパの吸引量を制御することを特徴とする請求項１に記載のベーパ回収装置。
【発明の詳細な説明】
【技術分野】
【０００１】
本発明はベーパ回収装置に関する。
【背景技術】
【０００２】
給油所では、タンクローリ車によって配送されたガソリン等の液体燃料（揮発性液体）を地下タンクに荷卸しする際、地下タンク内のベーパ（揮発性液体が気化した油蒸気）が地下タンクの通気管を通って大気中に放出されることを防止するベーパ回収装置の設置が進められている（例えば、特許文献１参照）。
【０００３】
ベーパ回収装置は、地下タンクの上部空間に連通されたベーパ導入経路を介して地下タンクのベーパを含む気体が吸着槽に供給され、吸着槽に充填された吸着剤によってベーパが吸着される。そして、吸着剤から脱着されたベーパ成分は、油液として地下タンクに回収される。
【０００４】
また、地下タンクの通気管は、地上に起立して設けられており、その上端開口には、地下タンクの圧力が所定の圧力以上に上昇したときに開弁する脱圧弁（ブリーザー弁）が設けられている。従って、タンクローリ車による荷卸し時においては、地下タンク内の液面が上昇すると共に、地下タンクの上部空間の圧力が次第に上昇して脱圧弁が開弁する圧力に達すると、脱圧弁が開弁して地下タンク内のベーパを含む気体が大気中に放出されてしまう。ベーパ導入経路は、通気管から分岐されて吸着槽に連通されている。そのため、地下タンクのベーパを含む気体が供給される吸着槽においては、吸着剤によってベーパが除去された残りの空気を吸着槽の外部に排出させることで、ベーパ導入経路の圧力が脱圧弁が開弁するための所定の圧力以下となるようにしている。
【先行技術文献】
【特許文献】
【０００５】
【特許文献１】特開２０１１−１９４３１１号公報
【発明の概要】
【発明が解決しようとする課題】
【０００６】
上記ベーパ回収装置では、地下タンクの圧力と吸着槽の圧力との圧力差により、地下タンクのベーパを含む気体が吸着槽に供給される構成であるため、例えば地下タンクと吸着槽との距離が離れている場合、あるいはベーパ導入経路の配管径が細くベーパ導入経路の配管抵抗が大きい場合、あるいは吸着槽に充填された吸着剤による流体抵抗が大きい場合などによりベーパの流れが減速されると、地下タンクの圧力が脱圧弁が開弁する所定圧力以上に上昇することがある。そのため、ベーパ回収装置を設けてタンクローリ車からの荷卸し時に発生するベーパを回収するようしても、地下タンクとベーパ回収装置との間での圧力上昇により脱圧弁が開弁してベーパが大気中に放出されてしまうという問題があった。
【０００７】
そこで、本発明は上記事情に鑑み、上記課題を解決したベーパ回収装置の提供を目的とする。
【課題を解決するための手段】
【０００８】
上記課題を解決するため、本発明は以下のような手段を有する。
【０００９】
本発明は、内部に揮発性液体のベーパを吸着する吸着剤が充填された吸着槽と、
前記揮発性液体を貯蔵する揮発性液体貯蔵タンク内のベーパを前記吸着槽に導入するベーパ導入経路と、
前記揮発性液体貯蔵タンクの圧力が所定の圧力以下の場合には閉弁し、前記揮発性液体貯蔵タンクの圧力が所定の圧力以上の場合には開弁する脱圧弁と、
前記吸着槽の吸着剤から脱着された前記揮発性液体を前記揮発性液体貯蔵タンクに回収させる回収経路と、
前記揮発性液体貯蔵タンク内のベーパを前記吸着槽に導入して前記吸着剤に吸着させる吸着工程と、前記吸着剤に吸着された前記揮発性液体を脱着して前記揮発性液体貯蔵タンクに回収する脱着工程とを行うように前記ベーパ導入経路及び前記回収経路に配された電磁弁を選択的に開弁させる制御手段と、を有するベーパ回収装置において、
前記揮発性液体貯蔵タンクの圧力を検出する圧力センサと、
前記ベーパ導入経路に設けられ、前記揮発性液体貯蔵タンクのベーパを吸引して前記吸着槽に供給するベーパ吸引手段と、を備え、
前記制御手段は、前記吸着工程を行う際に前記圧力センサにより検出された圧力値が前記脱圧弁が開弁する所定圧力よりも低い所定の設定圧力に達した場合、前記ベーパ吸引手段によるベーパの吸引を開始させるベーパ吸引量制御手段を有することを特徴とする。
【発明の効果】
【００１０】
本発明によれば、吸着工程を行う際に圧力センサにより検出された揮発性液体貯蔵タンクの圧力値が脱圧弁が開弁する所定圧力よりも低い所定の設定圧力に達した場合、ベーパ吸引手段によるベーパの吸引を開始させるため、例えば荷卸し時に揮発性液体貯蔵タンクの圧力が上昇した際に、吸着槽へのベーパ供給が強制的に行われる。その結果、揮発性液体貯蔵タンクの圧力上昇が抑制されて脱圧弁の開弁が防止され、吸着槽による吸着工程時にベーパが大気中に放出されることを防止できる。
【図面の簡単な説明】
【００１１】
【図１】本発明によるベーパ回収装置の実施の形態を示す概略構成図である。
【図２】ベーパ回収装置の制御装置が実行する吸着工程制御処理を説明するためのフローチャートである。
【図３】ベーパ回収装置の変形例を示す概略構成図である。
【図４】変形例の制御装置が実行する吸着工程制御処理を説明するためのフローチャートである。
【図５】図４の制御処理に続いて実行される制御処理のフローチャートである。
【図６】図５の制御処理に続いて実行される制御処理のフローチャートである。
【発明を実施するための形態】
【００１２】
以下、図面を参照して本発明を実施するための形態について説明する。
【００１３】
〔ベーパ回収装置の概略構成〕
図１は本発明によるベーパ回収装置の実施の形態を示す概略構成図である。図１に示されるように、ベーパ回収装置１０は、地下タンク（揮発性液体貯蔵タンク）２０、給油装置３０、通気管４０を有する給油所に設置される。地下タンク２０は、給油装置３０からの給油配管３２、通気管４０の下端、及び荷卸しを行うための注油管５０が挿通されている。また、地下タンク２０には、液面高さを検出する液面センサ１６０が設けられている。液面センサ１６０により検出された液面高さ検出値は、液面表示ユニット１６２に保存される。
【００１４】
注油管５０は、上端にタンクローリ車６０の荷卸しホース６２の先端が接続される注油口５２が設けられている。タンクローリ車６０の運転者は、地下タンク２０に貯蔵される揮発性液体（液体燃料）の種別（油種）が一致するハッチの吐出口に荷卸しホース６２の一端を接続し、荷卸しホース６２の他端を当該種別（油種）の注油口５２に接続した後、タンクローリ車６０の吐出弁を開弁させる。これにより、タンクローリ車６０のハッチに積み込まれた揮発性液体（液体燃料）が地下タンク２０に荷卸しされる。
【００１５】
地下タンク２０の上部空間は、通気管４０に連通されており、通気管４０の上端には脱圧弁（ブリーザー弁）４２が設けられている。脱圧弁４２は、通気管４０の圧力（地下タンク２０の圧力）が所定の開弁圧力以上に達した場合に開弁する構成であり、通気管４０の圧力（地下タンク２０の圧力）が所定の開弁圧力未満の場合には閉弁している。従って、タンクローリ車６０による荷卸し開始当初は、脱圧弁４２が閉弁しているため、地下タンク２０に荷卸しされた揮発性液体（液体燃料）によって液面が上昇すると共に、地下タンク２０内のベーパを含む気体が通気管４０から分岐されたベーパ導入経路７０を介してベーパ回収装置１０に供給される。
【００１６】
ベーパ回収装置１０は、ベーパ導入経路７０と、吸着槽８０と、回収経路９０と、制御装置１００とを有する。ベーパ導入経路７０は、タンク側圧力センサ１１０と、吸着用弁（ベーパ導入側電磁弁）１２０と、ベーパ吸引手段１３０と、吸着槽側圧力センサ１４０とが設けられている。
【００１７】
ベーパ導入経路７０は、一端が通気管４０に接続され、他端が吸着槽８０に連通されている。また、吸着槽８０は、円筒形状の容器からなり、内部には粒状の吸着剤８２が充填されている。吸着剤８２は、不燃性で吸着時の発熱の少ない疎水性シリカゲルまたは合成ゼオライトなどからなり、地下タンク２０との圧力差によりベーパ成分を分子レベルで吸着する。
【００１８】
吸着槽側圧力センサ１４０は、吸着槽８０の圧力を検出しており、検出圧力値を制御装置１００に出力する。制御装置１００は、タンク側圧力センサ１１０により検出された地下タンク２０のタンク内圧力と吸着槽側圧力センサ１４０により検出された吸着槽圧力とを比較し、吸着工程または脱着工程が可能かを判定する。
【００１９】
また、吸着槽８０は、ベーパ導入経路７０の連通箇所と１８０度反対側となる箇所に排気管１５０が連通されている。排気管１５０は、排気用弁１５２が配設され、先端が上方に延在形成されている。排気用弁１５２は、電磁弁からなり、吸着工程時に開弁され、吸着槽８０内においてベーパが除去された空気が排気管１５０を介して大気中に排気される。尚、排気管１５０及び排気用弁１５２から排気される流量は、排気管１５０及び排気用弁１５２の口径（内径）により吸着槽８０の内部圧力をベーパ吸着に必要な圧力に保つように供給される流量よりも絞られている。
【００２０】
回収経路９０は、一端がベーパ導入経路７０に連通され、他端が通気管４０に連通されている。すなわち、回収経路９０は、吸着槽８０の吸着剤８２から脱着してえられた揮発性液体（液体燃料）を地下タンク２０に戻すための配管であって、回収用弁９２と、脱着工程用の真空ポンプ９４とが配されている。回収用弁９２は、電磁弁からなり、吸着工程、排気工程のときは閉弁され、吸着剤８２から揮発性液体（液体燃料）を脱着するときに開弁される。また、真空ポンプ９４は、脱着工程のときに駆動され、吸着槽８０内を真空（大気圧以下）にして吸着剤８２から揮発性液体（液体燃料）を脱着し、通気管４０を介して回収した揮発性液体（液体燃料）を地下タンク２０に戻す。
【００２１】
制御装置１００は、液面センサ１６０から出力された液面高さ検出値に基づいて荷卸し開始を判定する荷卸し開始判定手段と、荷卸し開始時に吸着用弁１２０を開弁して吸着工程を設定する吸着工程設定手段と、タンク側圧力センサ１１０によって検出された地下タンク２０のタンク内圧力が脱圧弁４２の開弁圧力以上か否かを判定する判定手段と、吸着工程を行う際に圧力センサにより検出された圧力値が脱圧弁が開弁する所定圧力よりも低い所定の設定圧力に達した場合、ベーパ吸引手段１３０によるベーパの吸引を開始させるベーパ吸引量制御手段と、を有する。
【００２２】
タンク側圧力センサ１１０は、ベーパ導入経路７０の通気管４０との接続部付近に設けられ、地下タンク２０からベーパ導入経路７０に導入されたタンク内圧力を検出し、検出した圧力値を制御装置１００に出力する。尚、タンク側圧力センサ１１０は、地下タンク２０の圧力を検出するため、ベーパ導入経路７０に限らず、地下タンク２０あるいは通気管４０に設けても良い。
【００２３】
ベーパ吸引手段１３０は、例えば空気を一方向に送出する羽根車を回転駆動するブロワ（送風機）からなり、通気管４０の空気を吸引して吸着槽８０へ供給する。また、ベーパ吸引手段１３０は、地下タンク２０の圧力変化に応じて制御（駆動・停止）されるため、タンク内圧力が所定圧力（脱圧弁４２の開弁圧力以下の所定圧力）以上になると停止から駆動に切り替えられる。尚、ベーパ吸引手段１３０としては、駆動時に地下タンク２０内のベーパを含む気体を吸引し、停止時には地下タンク２０と吸着槽８０との圧力差によって地下タンク２０で発生したベーパが吸着槽８０に供給されるような構成のものであればブロワ以外のものでも良い。
【００２４】
〔制御装置の制御処理〕
制御装置１００は、吸着槽８０における吸着工程、脱着工程の制御処理を実行するが、ここでは吸着工程の制御処理について説明し、脱着工程の制御処理の説明は省略する。
【００２５】
図２はベーパ回収装置の制御装置が実行する吸着工程制御処理を説明するためのフローチャートである。図２のＳ１１において、制御装置１００は、タンクローリ車６０による荷卸しが開始されたか否かを判定する。荷卸し開始の判定基準としては、例えば液面センサ１６０から出力された液面高さ検出値が増加している場合に荷卸し開始と判定する。また、これ以外にも、タンク側圧力センサ１１０により検出された地下タンク２０の圧力が上昇（液面上昇による圧力上昇）した場合、あるいはタンク側圧力センサ１１０により検出された地下タンク２０の圧力が上昇率が液面上昇による上昇率と近い場合に荷卸し開始と判定しても良い。
【００２６】
上記Ｓ１１において、荷卸し開始が検出された場合（ＹＥＳの場合）、Ｓ１２に進み、吸着用弁１２０及び排気用弁１５２を開弁させる。このとき、地下タンク２０では、タンクローリ車６０からの荷卸しにより圧力が上昇している。そのため、吸着用弁１２０及び排気用弁１５２の開弁と共に地下タンク２０の上部空間のベーパを含む気体が通気管４０及びベーパ導入経路７０に導入される。さらに、ベーパ導入経路７０を通過したベーパを含む気体は、吸着槽８０に流入する。
【００２７】
次のＳ１３では、タンク側圧力センサ１１０により検出された地下タンク２０のタンク内圧力ＰＴを読み込んで当該タンク圧力ＰＴと予め設定された設定圧力ＰＢ（ブロワ起動圧力）とを比較する。Ｓ１３において、タンク内圧力ＰＴが設定圧力ＰＢ（ブロワ起動圧力）より小さい場合（ＮＯの場合）は、Ｓ１４に進み、荷卸し終了が検出されたか否かを判定する。Ｓ１４において、荷卸し終了が検出されない場合（ＮＯの場合）、上記Ｓ１３の処理に戻る。
【００２８】
尚、荷卸し終了の判定条件としては、例えば（ａ）地下タンク２０のタンク内圧力ＰＴがタンク密閉状態で荷卸しを行っている際に生じうる圧力であり、且つ脱圧弁４２の第１設定圧力ＰＢ（ブロワ起動圧力）以下の圧力に低下した場合、（ｂ）地下タンク２０が密閉状態で荷卸しを行っている際に生じうるタンク内圧力ＰＴの上昇率がゼロになった場合、（ｃ）地下タンク２０の液面上昇が停止し、液面センサ１６０の検出値が一定になった場合、（ｄ）荷卸し開始から所定時間（通常の荷卸しに要する時間を超える時間）が経過した場合に荷卸し終了と判定する。
【００２９】
また、上記Ｓ１３において、タンク内圧力ＰＴが第１設定圧力ＰＢ（ブロワ起動圧力）より大きい場合（ＹＥＳの場合）は、タンク側圧力センサ１１０により検出された地下タンク２０のタンク内圧力ＰＴが脱圧弁４２の開放圧力Ｐ０より低い所定の設定圧力に達したものと判定してＳ１５に進み、ベーパ導入経路７０に配されたベーパ吸引手段１３０を駆動する。これにより、地下タンク２０の上部空間に溜ったベーパを含む気体は、通気管４０及びベーパ導入経路７０を通って強制的に吸着槽８０に導入される。そのため、ベーパ導入経路７０の配管抵抗あるいは吸着槽８０内の流体抵抗などによりベーパの供給量が減少して地下タンク２０のタンク内圧力ＰＴが荷卸しと共に上昇し、タンク内圧力ＰＴが脱圧弁４２が開弁する開放圧力Ｐ０より低い設定圧力に達した場合でも、地下タンク２０のベーパを含む気体を吸着槽８０に供給することが可能になる。これにより、荷卸し中に脱圧弁４２が開弁せず、ベーパが大気中に放出されることを防止できる。
【００３０】
続いて、Ｓ１６に進み、タンク側圧力センサ１１０により検出された地下タンク２０のタンク内圧力ＰＴが第２設定圧ＰＬ以上か否かを判定する（ＰＢ＜ＰＬ）。Ｓ１６において、タンク内圧力ＰＴが第２設定圧ＰＬ未満の場合（ＮＯの場合）、Ｓ１７に進み、ベーパ吸引手段１３０を低速運転（例えば、高速運転の１／３の回転数でブロワを駆動）で制御する。そのため、タンク内圧力ＰＴが第２設定圧ＰＬ未満と低い圧力の場合、ベーパ吸引手段１３０の駆動により吸着槽８０に供給されるベーパ量が低流量となる。
【００３１】
続いて、Ｓ１８では、タンク側圧力センサ１１０により検出された地下タンク２０のタンク内圧力ＰＴが第４設定圧（下限圧力）Ｐ０以上か否かを判定する。Ｓ１８において、タンク内圧力ＰＴが第４設定圧（下限圧力）Ｐ０未満の場合（ＮＯの場合）、地下タンク２０の上部空間の圧力が十分に低下しているため、Ｓ１９に進み、ベーパ吸引手段１３０を停止させる（ＰＬ＜ＰＭ＜Ｐ０）。そして、上記Ｓ１３の処理に戻る。
【００３２】
また、上記Ｓ１８において、タンク内圧力ＰＴが第４設定圧（上限圧力）Ｐ０以上の場合（ＹＥＳの場合）、上記Ｓ１６の処理に戻る。上記Ｓ１６において、タンク内圧力ＰＴが第２設定圧ＰＬ以上の場合（ＹＥＳの場合）、Ｓ２０に進み、タンク側圧力センサ１１０により検出された地下タンク２０のタンク内圧力ＰＴが第３設定圧ＰＭ以上か否かを判定する（ＰＢ＜ＰＬ＜ＰＭ＜Ｐ０）。Ｓ２０において、タンク側圧力センサ１１０により検出された地下タンク２０のタンク内圧力ＰＴが第３設定圧ＰＭ未満の場合（ＮＯの場合）、地下タンク２０の圧力が上限圧力に達していないので、Ｓ２１に進み、ベーパ吸引手段１３０を中速運転（例えば、高速運転の２／３の回転数でブロワを駆動）で制御する。そのため、タンク内圧力ＰＴが第３設定圧ＰＭ未満の場合、ベーパ吸引手段１３０の駆動により吸着槽８０に供給されるベーパ量が低流量よりも多い中流量となる。この後は、上記Ｓ１６の処理に戻り、Ｓ１６以降の処理を行う。
【００３３】
また、上記Ｓ２０において、タンク側圧力センサ１１０により検出された地下タンク２０のタンク内圧力ＰＴが第３設定圧ＰＭ以上の場合（ＹＥＳの場合）、地下タンク２０の圧力が上限圧力に達しているので、Ｓ２２に進み、ベーパ吸引手段１３０を高速運転（例えば、低速回転数の３倍、または中速回転数の１．５倍の高速回転数でブロワを駆動）で制御する。そのため、タンク内圧力ＰＴが第３設定圧ＰＭ以上の場合、ベーパ吸引手段１３０の高速運転により吸着槽８０に供給されるベーパ量が中流量よりも多い高流量となる。この後は、上記Ｓ１６に戻り、Ｓ１６以降の処理を行う。
【００３４】
また、上記Ｓ１４において、荷卸し終了が検出された場合（ＹＥＳの場合）、Ｓ２３に進み、吸着用弁１２０及び排気用弁１５２を閉弁させる。これで、吸着工程の制御処理が終了する。
【００３５】
このように、タンク側圧力センサ１１０により検出された地下タンク２０のタンク内圧力ＰＴに応じてベーパ吸引手段１３０の回転速度を３段階（低速運転、中速運転、高速運転）の何れかに切り替えるため、荷卸し時に変化する地下タンク２０の圧力に応じたベーパの吸引量を適宜制御して吸着槽８０におけるベーパ吸着効率を高められる。
【００３６】
〔変形例の構成〕
図３はベーパ回収装置の変形例を示す概略構成図である。図３に示されるように、ベーパ回収装置１０Ａは、３つの地下タンク（揮発性液体貯蔵タンク）２０Ａ〜２０Ｃで発生したベーパを吸着処理するように構成されている。また、給油所には、地下タンク２０Ａ〜２０Ｃ、給油装置３０Ａ〜３０Ｃ、通気管４０Ａ〜４０Ｃが設けられている。
【００３７】
地下タンク２０Ａ〜２０Ｃは、それぞれ同じ種別の揮発性液体を貯蔵している。また、各地下タンク２０Ａ〜２０Ｃには、給油装置３０Ａ〜３０Ｃからの給油配管３２Ａ〜３２Ｃ、通気管４０Ａ〜４０Ｃの下端、及び荷卸しを行うための注油管５０Ａ〜５０Ｃが挿通されている。さらに、各地下タンク２０Ａ〜２０Ｃには、液面高さを検出する液面センサ１６０Ａ〜１６０Ｃが設けられている。各液面センサ１６０Ａ〜１６０Ｃにより検出された液面高さ検出値は、液面表示ユニット１６２に保存される。
【００３８】
注油管５０Ａ〜５０Ｃは、上端にタンクローリ車６０の荷卸しホース６２の先端が接続される注油口５２Ａ〜５２Ｃが設けられている。
【００３９】
地下タンク２０Ａ〜２０Ｃの上部空間は、通気管４０Ａ〜４０Ｃに連通されており、通気管４０Ａ〜４０Ｃの上端には脱圧弁（ブリーザー弁）４２Ａ〜４２Ｃが設けられている。脱圧弁４２Ａ〜４２Ｃは、通気管４０Ａ〜４０Ｃの圧力（地下タンク２０Ａ〜２０Ｃの圧力）が所定の開弁圧力以上に達した場合に開弁する構成であり、通気管４０Ａ〜４０Ｃの圧力（地下タンク２０Ａ〜２０Ｃの圧力）が所定の開弁圧力未満の場合には閉弁している。従って、タンクローリ車６０による荷卸し開始当初は、脱圧弁４２Ａ〜４２Ｃが閉弁しているため、各地下タンク２０Ａ〜２０Ｃに荷卸しされた揮発性液体（液体燃料）によって液面が上昇すると共に、各地下タンク２０Ａ〜２０Ｃ内のベーパを含む気体が各通気管４０Ａ〜４０Ｃから分岐されたベーパ導入経路７０Ａ〜７０Ｃを介して吸着槽８０に供給される。
【００４０】
ベーパ回収装置１０Ａは、ベーパ導入経路７０Ａ〜７０Ｄと、吸着槽８０と、回収経路９０と、制御装置１００Ａとを有する。ベーパ導入経路７０Ａ〜７０Ｃは、タンク側圧力センサ１１０Ａ〜１１０Ｃと、吸着用弁（ベーパ導入側電磁弁）１２０Ａ〜１２０Ｃとが設けられている。また、共通ベーパ導入経路７０Ｄには、ベーパ吸引手段１３０と、ベーパ供給弁１７０と、吸着槽側圧力センサ１４０とが設けられている。
【００４１】
各ベーパ導入経路７０Ａ〜７０Ｃは、一端が各通気管４０Ａ〜４０Ｃに並列接続され、他端が共通ベーパ導入経路７０Ｄを介して吸着槽８０に連通されている。
【００４２】
制御装置１００Ａは、各地下タンク２０Ａ〜２０Ｃへの荷卸し開始が検出されると、対応する吸着用弁１２０Ａ〜１２０Ｃの何れかを開弁すると共に、共通ベーパ導入経路７０Ｄに配されたベーパ供給弁１７０を開弁して吸着槽８０にベーパを含む気体を供給するベーパ供給手段と、吸着工程を行う際にタンク側圧力センサ１１０Ａ〜１１０Ｃにより検出された各地下タンク２０Ａ〜２０Ｃのタンク内圧力値が脱圧弁４２Ａ〜４２Ｃが開弁する所定圧力（開放圧力Ｐ０）よりも低い所定の設定圧力に達した場合、ベーパ吸引手段１３０によるベーパの吸引を開始させ、各地下タンク２０Ａ〜２０Ｃのタンク圧力に応じてベーパ吸引手段１３０を駆動制御してベーパを吸着槽８０へ供給するベーパ吸引量制御手段とを有する。そのため、変形例においても、ベーパ導入経路７０Ａ〜７０Ｄの配管抵抗あるいは吸着槽８０内の流体抵抗などによりベーパの供給量が減少して地下タンク２０Ａ〜２０Ｃのタンク内圧力ＰＴが荷卸しと共に上昇し、タンク内圧力ＰＴが脱圧弁４２Ａ〜４２Ｃが開弁する開放圧力Ｐ０より低い設定圧力に達した場合には、ベーパ吸引量制御手段により地下タンク２０のベーパを含む気体を吸着槽８０に供給することが可能になる。これにより、荷卸し中に脱圧弁４２が開弁せず、ベーパが大気中に放出されることを防止できる。
【００４３】
〔変形例の制御装置の制御処理〕
図４は変形例の制御装置が実行する吸着工程制御処理を説明するためのフローチャートである。図４に示されるように、制御装置１００Ａは、Ｓ３１で各吸着用弁１２０Ａ〜１２０Ｃが全て閉弁しているか否かを判定する。Ｓ３１において、全ての吸着用弁１２０Ａ〜１２０Ｃが閉弁している場合（ＹＥＳの場合）、Ｓ３２に進み、タンク側圧力センサ１１０Ａにより検出された地下タンク２０Ａのタンク内圧力ＰＴが第１設定圧Ｐ１以上か否かを判定する。
【００４４】
Ｓ３２において、タンク側圧力センサ１１０Ａにより検出された地下タンク２０Ａのタンク内圧力ＰＴが第１設定圧Ｐ１以上の場合（ＹＥＳの場合）、地下タンク２０Ａで荷卸しが開始されたものと判定してＳ３３に進み、吸着用弁１２０Ａを開弁する。続いて、Ｓ３４に進み、ベーパ供給弁１７０及び排気用弁１５２を開弁する。これにより、地下タンク２０Ａのベーパを含む気体は、通気管４０Ａ及びベーパ導入経路７０Ａから共通ベーパ導入経路７０Ｄを介して吸着槽８０に流入する。次のＳ３５では、制御対象を地下タンク２０Ａのタンク側圧力センサ１１０Ａに設定する。続いて、Ｓ３６では、タイマＴ１を計時スタートさせる。
【００４５】
また、上記Ｓ３２において、タンク側圧力センサ１１０Ａにより検出された地下タンク２０Ａのタンク内圧力ＰＴが第１設定圧Ｐ１未満の場合（ＮＯの場合）、Ｓ３７に進み、タンク側圧力センサ１１０Ｂにより検出された地下タンク２０Ｂのタンク内圧力ＰＴが第１設定圧Ｐ１以上か否かを判定する。
【００４６】
Ｓ３７において、タンク側圧力センサ１１０Ｂにより検出された地下タンク２０Ｂのタンク内圧力ＰＴが第１設定圧Ｐ１以上の場合（ＹＥＳの場合）、地下タンク２０Ｂで荷卸しが開始されたものと判定してＳ３８に進み、吸着用弁１２０Ｂを開弁する。続いて、Ｓ３９に進み、ベーパ供給弁１７０及び排気用弁１５２を開弁する。これにより、地下タンク２０Ｂのベーパを含む気体は、通気管４０Ｂ及びベーパ導入経路７０Ｂから共通ベーパ導入経路７０Ｄを介して吸着槽８０に流入する。次のＳ４０では、制御対象を地下タンク２０Ｂのタンク側圧力センサ１１０Ｂに設定する。続いて、Ｓ３６では、タイマＴ１を計時スタートさせる。
【００４７】
また、上記Ｓ３７において、タンク側圧力センサ１１０Ｂにより検出された地下タンク２０Ｂのタンク内圧力ＰＴが第１設定圧Ｐ１未満の場合（ＮＯの場合）、Ｓ４１に進み、タンク側圧力センサ１１０Ｃにより検出された地下タンク２０Ｃのタンク内圧力ＰＴが第１設定圧Ｐ１以上か否かを判定する。
【００４８】
Ｓ４１において、タンク側圧力センサ１１０Ｃにより検出された地下タンク２０Ｃのタンク内圧力ＰＴが第１設定圧Ｐ１以上の場合（ＹＥＳの場合）、地下タンク２０Ｃで荷卸しが開始されたものと判定してＳ４２に進み、吸着用弁１２０Ｃを開弁する。続いて、Ｓ４３に進み、ベーパ供給弁１７０及び排気用弁１５２を開弁する。これにより、地下タンク２０Ｃのベーパを含む気体は、通気管４０Ｃ及びベーパ導入経路７０Ｃから共通ベーパ導入経路７０Ｄを介して吸着槽８０に流入する。次のＳ４４では、制御対象を地下タンク２０Ｃのタンク側圧力センサ１１０Ｃに設定する。続いて、Ｓ３６では、タイマＴ１を計時スタートさせる。
【００４９】
また、上記Ｓ４１において、タンク側圧力センサ１１０Ｃにより検出された地下タンク２０Ｃのタンク内圧力ＰＴが第１設定圧Ｐ１未満の場合（ＮＯの場合）、前述したＳ３１に戻り、Ｓ３１以降の処理を繰り返す。
【００５０】
次のＳ４５では、各吸着用弁１２０Ａ〜１２０Ｃが全て開弁しているか否かを判定する。Ｓ４５において、吸着用弁１２０Ａ〜１２０Ｃのうち一つでも閉弁しており、全ての吸着用弁１２０Ａ〜１２０Ｃが開弁していない場合（ＮＯの場合）、Ｓ４６に進み、吸着用弁１２０Ａが閉弁しているか否かを判定する。Ｓ４６において、吸着用弁１２０Ａが閉弁している場合（ＹＥＳの場合）、Ｓ４７に進み、タンク側圧力センサ１１０Ａにより検出された地下タンク２０Ａのタンク内圧力ＰＴが第１設定圧Ｐ１以上か否かを判定する。Ｓ４７において、タンク側圧力センサ１１０Ａにより検出された地下タンク２０Ａのタンク内圧力ＰＴが第１設定圧Ｐ１以上の場合（ＹＥＳの場合）、地下タンク２０Ａの圧力が第１設定圧Ｐ１以上に上昇しているため、Ｓ４８に進み、吸着用弁１２０Ａを開弁する。この後は、図５に示すＳ５５に進む。
【００５１】
また、上記Ｓ４６において、吸着用弁１２０Ａが開弁している場合（ＮＯの場合）、あるいは上記Ｓ４７でタンク側圧力センサ１１０Ａにより検出された地下タンク２０Ａのタンク内圧力ＰＴが第１設定圧Ｐ１未満の場合（ＮＯの場合）、地下タンク２０Ａで荷卸しが行われていないと判定し、Ｓ４９に進み、吸着用弁１２０Ｂが閉弁しているか否かを判定する。Ｓ４９において、吸着用弁１２０Ｂが閉弁している場合（ＹＥＳの場合）、Ｓ５０に進み、タンク側圧力センサ１１０Ｂにより検出された地下タンク２０Ｂのタンク内圧力ＰＴが第１設定圧Ｐ１以上か否かを判定する。Ｓ５０において、タンク側圧力センサ１１０Ｂにより検出された地下タンク２０Ｂのタンク内圧力ＰＴが第１設定圧Ｐ１以上の場合（ＹＥＳの場合）、地下タンク２０Ｂの圧力が第１設定圧Ｐ１以上に上昇しているため、Ｓ５１に進み、吸着用弁１２０Ｂを開弁する。この後は、図５に示すＳ５５に進む。
【００５２】
また、上記Ｓ４９において、吸着用弁１２０Ｂが開弁している場合（ＮＯの場合）、あるいは上記Ｓ５０でタンク側圧力センサ１１０Ｂにより検出された地下タンク２０Ｂのタンク内圧力ＰＴが第１設定圧Ｐ１未満の場合（ＮＯの場合）、地下タンク２０Ｂで荷卸しが行われていないと判定し、Ｓ５２に進み、吸着用弁１２０Ｃが閉弁しているか否かを判定する。Ｓ５２において、吸着用弁１２０Ｃが閉弁している場合（ＹＥＳの場合）、Ｓ５３に進み、タンク側圧力センサ１１０Ｃにより検出された地下タンク２０Ｃのタンク内圧力ＰＴが第１設定圧Ｐ１以上か否かを判定する。Ｓ５３において、タンク側圧力センサ１１０Ｃにより検出された地下タンク２０Ｃのタンク内圧力ＰＴが第１設定圧Ｐ１以上の場合（ＹＥＳの場合）、地下タンク２０Ｃの圧力が第１設定圧Ｐ１以上に上昇しているため、Ｓ５４に進み、吸着用弁１２０Ｃを開弁する。この後は、図５に示すＳ５５に進む。
【００５３】
また、上記Ｓ５２において、吸着用弁１２０Ｃが開弁している場合（ＮＯの場合）、各吸着用弁１２０Ａ〜１２０Ｃが全て開弁されていると判定し、あるいは上記Ｓ５３でタンク側圧力センサ１１０Ｃにより検出されたタンク内圧力ＰＴが第１設定圧Ｐ１未満の場合（ＮＯの場合）、地下タンク２０Ｃで荷卸しが行われていないと判定し、図５に示すＳ５５に進む。
【００５４】
図５のＳ５５では、ベーパ吸引手段１３０の回転速度（ベーパ吸引速度、ベーパ排出速度）がゼロか否かを判定する。Ｓ５５において、ベーパ吸引手段１３０の回転速度がゼロの場合（ＹＥＳの場合）、Ｓ５６に進み、地下タンク２０Ａ〜２０Ｃのうち制御対象に設定された地下タンクのタンク内圧力ＰＴが予め設定された所定の設定圧Ｐ２１以上か否かを判定する。Ｓ５６において、制御対象に設定された当該地下タンクのタンク内圧力ＰＴが予め設定された所定の設定圧Ｐ２１以上の場合（ＹＥＳの場合）、Ｓ５７に進み、ベーパ吸引手段１３０の回転速度（ベーパ吸引速度、ベーパ排出速度）を速度１（低速制御）に設定する。この後は、Ｓ５８に進む。
【００５５】
また、上記Ｓ５５において、ベーパ吸引手段１３０の回転速度がゼロでない場合（ＮＯの場合）、あるいは、上記Ｓ５６において、制御対象に設定された地下タンクのタンク内圧力ＰＴが予め設定された所定の設定圧Ｐ２１未満の場合（ＮＯの場合）、Ｓ５７の処理を省略してＳ５８に進む。
【００５６】
次のＳ５８では、ベーパ吸引手段１３０の回転速度（ベーパ吸引速度、ベーパ排出速度）が速度１（低速制御）か否かを判定する。Ｓ５８において、ベーパ吸引手段１３０の回転速度が速度１（低速制御）の場合（ＹＥＳの場合）、Ｓ５９に進み、地下タンク２０Ａ〜２０Ｃのうち制御対象に設定された地下タンクのタンク内圧力ＰＴが予め設定された所定の設定圧Ｐ２２（＞Ｐ２１）以上か否かを判定する。Ｓ５９において、制御対象に設定された当該地下タンクのタンク内圧力ＰＴが予め設定された所定の設定圧Ｐ２２以上の場合（ＹＥＳの場合）、当該地下タンクで荷卸しが行われているものと判定してＳ６０に進み、ベーパ吸引手段１３０の回転速度（ベーパ吸引速度、ベーパ排出速度）を速度２（中速制御）に設定する。この後は、Ｓ６３に進む。
【００５７】
また、上記Ｓ５９において、制御対象に設定された地下タンクのタンク内圧力ＰＴが予め設定された所定の設定圧Ｐ２２未満の場合（ＮＯの場合）、Ｓ６１に進み、地下タンク２０Ａ〜２０Ｃのうち制御対象に設定された地下タンクのタンク内圧力ＰＴがゼロ以下か否かを判定する。Ｓ６１において、制御対象に設定された当該地下タンクのタンク内圧力ＰＴがゼロ以下の場合（ＹＥＳの場合）、当該地下タンクの荷卸しが終了したものと判定してＳ６２に進み、ベーパ吸引手段１３０の回転速度（ベーパ吸引速度、ベーパ排出速度）をゼロに設定する。すなわち、当該制御対象の地下タンクにおける荷卸しが行われていないものと判定してベーパ吸引手段１３０を停止させる。この後は、Ｓ６３に進む。また、上記Ｓ５８において、ベーパ吸引手段１３０の回転速度が速度１（低速制御）でない場合（ＮＯの場合）、あるいは、Ｓ６１において、制御対象に設定された当該地下タンクのタンク内圧力ＰＴがゼロを超える場合（ＮＯの場合）、当該地下タンクの荷卸しが継続しているものと判定してＳ６３に進む。
【００５８】
次のＳ６３では、ベーパ吸引手段１３０の回転速度（ベーパ吸引速度、ベーパ排出速度）が速度２（中速制御）か否かを判定する。Ｓ６３において、ベーパ吸引手段１３０の回転速度が速度２（中速制御）の場合（ＹＥＳの場合）、Ｓ６４に進み、地下タンク２０Ａ〜２０Ｃのうち制御対象に設定された地下タンクのタンク内圧力ＰＴが予め設定された所定の設定圧Ｐ２３（＞Ｐ２２）以上か否かを判定する。Ｓ６４において、制御対象に設定された当該地下タンクのタンク内圧力ＰＴが予め設定された所定の設定圧Ｐ２３以上の場合（ＹＥＳの場合）、当該地下タンクで荷卸しが行われているものと判定してＳ６５に進み、ベーパ吸引手段１３０の回転速度（ベーパ吸引速度、ベーパ排出速度）を速度３（高速制御）に設定する。この後は、Ｓ６８に進む。
【００５９】
また、上記Ｓ６４において、制御対象に設定された地下タンクのタンク内圧力ＰＴが予め設定された所定の設定圧Ｐ２３未満の場合（ＮＯの場合）、Ｓ６６に進み、地下タンク２０Ａ〜２０Ｃのうち制御対象に設定された地下タンクのタンク内圧力ＰＴが予め設定された所定の設定圧Ｐ２２以下か否かを判定する。Ｓ６６において、制御対象に設定された当該地下タンクのタンク内圧力ＰＴが予め設定された所定の設定圧Ｐ２２以下の場合（ＹＥＳの場合）、荷卸しによるベーパ発生量が低下したものと判定してＳ６７に進み、ベーパ吸引手段１３０の回転速度（ベーパ吸引速度、ベーパ排出速度）を速度１（低速制御）に設定する。すなわち、当該制御対象の地下タンクにおけるベーパ発生量に応じた回転速度（ベーパ吸引速度、ベーパ排出速度）でベーパ吸引手段１３０を駆動させる。この後は、Ｓ６８に進む。また、Ｓ６３において、ベーパ吸引手段１３０の回転速度が速度２（中速制御）でない場合（ＮＯの場合）、あるいは、上記Ｓ６６において、制御対象に設定された地下タンクのタンク内圧力ＰＴが所定の設定圧Ｐ２２を超える場合（ＮＯの場合）、当該地下タンクの荷卸しが継続しているものと判定してＳ６８に進む。
【００６０】
次のＳ６８では、ベーパ吸引手段１３０の回転速度（ベーパ吸引速度、ベーパ排出速度）が速度３（高速制御）か否かを判定する。Ｓ６８において、ベーパ吸引手段１３０の回転速度が速度３（高速制御）の場合（ＹＥＳの場合）、Ｓ６９に進み、地下タンク２０Ａ〜２０Ｃのうち制御対象に設定された地下タンクのタンク内圧力ＰＴが予め設定された所定の設定圧Ｐ２３以下か否かを判定する。Ｓ６９において、制御対象に設定された当該地下タンクのタンク内圧力ＰＴが予め設定された所定の設定圧Ｐ２３以下の場合（ＹＥＳの場合）、当該地下タンクでの荷卸しによる液面上昇率が減少しているものと判定してＳ７０に進み、ベーパ吸引手段１３０の回転速度（ベーパ吸引速度、ベーパ排出速度）を速度２（中速制御）に設定する。この後は、図６に示すＳ７１に進む。
【００６１】
また、Ｓ６８において、ベーパ吸引手段１３０の回転速度が速度３（高速制御）でない場合（ＮＯの場合）、あるいは、上記Ｓ６９において、制御対象に設定された当該地下タンクのタンク内圧力ＰＴが予め設定された所定の設定圧Ｐ２３を超える場合（ＮＯの場合）、当該地下タンクへの荷卸しが継続されているため、図６に示すＳ７１に進む。このように、タンク側圧力センサ１１０Ａ〜１１０Ｃにより検出された各地下タンク２０Ａ〜２０Ｃのタンク内圧力ＰＴに応じてベーパ吸引手段１３０の回転速度を低速運転、中速運転、高速運転の何れかに切り替えるため、荷卸し時に変化する各地下タンク２０Ａ〜２０Ｃの圧力に応じてベーパの吸引量を適宜制御して吸着槽８０におけるベーパ吸着効率を高められる。
【００６２】
さらに、ベーパ吸引手段１３０を駆動することにより、ベーパ導入経路７０の配管抵抗あるいは吸着槽８０内の流体抵抗などによりベーパの供給量が減少して地下タンク２０のタンク内圧力ＰＴが荷卸しと共に上昇し、タンク内圧力ＰＴが脱圧弁４２が開弁する開放圧力Ｐ０より低い設定圧力に達した場合でも、地下タンク２０のベーパを含む気体を吸着槽８０に供給することが可能になり、荷卸し中に脱圧弁４２が開弁せず、ベーパが大気中に放出されることを防止できる。
【００６３】
次に、図６のＳ７１では、前述したＳ３６で計時開始したタイマＴ１のカウント値が予め設定された荷卸し時間（荷卸し開始から荷卸し終了までの経過時間）に達したか否かを判定する。Ｓ７１において、タイマＴ１のカウント値が予め設定された荷卸し時間に達していない場合（ＮＯの場合）、前述したＳ５５の処理に戻り、Ｓ５５以降の処理を繰り返す。
【００６４】
上記Ｓ７１において、タイマＴ１のカウント値が予め設定された荷卸し時間に達した場合（ＹＥＳの場合）、Ｓ７２に進み、各吸着用弁１２０Ａ〜１２０Ｃ、ベーパ供給弁１７０及び排気用弁１５２を閉弁する。続いて、Ｓ７３では、制御対象に設定された各設定データをクリアし、Ｓ７４でベーパ吸引手段１３０の回転速度（ベーパ吸引速度、ベーパ排出速度）をゼロリセットする。これで、吸着工程の制御処理は、終了する。
【００６５】
次のＳ７５では、回収用弁９２を開弁すると共に、脱着工程用の真空ポンプ９４を駆動して吸着槽８０の吸着剤８２に吸着されたベーパを脱着する。吸着剤８２から脱着された揮発性液体（ベーパが液化された液体燃料）は、回収経路９０及び通気管４０Ｃを介して地下タンク２０Ｃに還流される。吸着槽８０の脱着工程が終了すると、今回の制御処理は終了する。
【００６６】
尚、本変形例では、各地下タンク２０Ａ〜２０Ｃに貯蔵されている揮発性液体が同じため、各地下タンク２０Ａ〜２０Ｃのベーパを１台の吸着槽８０で吸着し、回収した揮発性液体を任意の地下タンク２０Ｃに戻したが、他の地下タンク２０Ａ、または２０Ｂに回収した揮発性液体を戻すようにしても良い。
【００６７】
また、上記変形例では、３つの地下タンク２０Ａ〜２０Ｃを設けた場合を例に挙げて説明したが、これに限らず、２つ以上の複数の地下タンクが設置された給油所であれば、本発明を適用できるのは勿論である。
【符号の説明】
【００６８】
１０、１０Ａ  ベーパ回収装置
２０、２０Ａ〜２０Ｃ  地下タンク
３０、３０Ａ〜３０Ｃ  給油装置
３２、３２Ａ〜３２Ｃ  給油配管
４０、４０Ａ〜４０Ｃ  通気管
４２、４２Ａ〜４２Ｃ  脱圧弁
５０、５０Ａ〜５０Ｃ  注油管
５２、５２Ａ〜５２Ｃ  注油口
６０  タンクローリ車
６２  荷卸しホース
７０、７０Ａ〜７０Ｃ  ベーパ導入経路
７０Ｄ  共通ベーパ導入経路
８０  吸着槽
８２  吸着剤
９０  回収経路
９２  回収用弁
９４  真空ポンプ
１００、１００Ａ  制御装置
１１０、１１０Ａ〜１１０Ｃ  タンク側圧力センサ
１２０、１２０Ａ〜１２０Ｃ  吸着用弁
１３０  ベーパ吸引手段
１４０  吸着槽側圧力センサ
１５０  排気管
１５２  排気用弁
１６０、１６０Ａ〜１６０Ｃ  液面センサ
１６２  液面表示ユニット
【図１】
2014046225.tif 000003
【図２】
2014046225.tif 000004
【図３】
2014046225.tif 000005
【図４】
2014046225.tif 000006
【図５】
2014046225.tif 000007
【図６】
2014046225.tif 000008